(57)【要約】【課題】  撓んで搬送し難いといったことがないとともに、屋根材へ取り付ける際に撓んで屋根材や屋根材上に設けた防水シートを破損してしまうことがない太陽光発電パネルの固定板を提供する。【解決手段】  屋根材１の表面に取り付けられる太陽光発電パネルの固定板２である。左右方向Ｂに山部２１及び谷部２２が連続する波状に形成するとともに、軒棟方向Ａの両端部に太陽光発電パネル４を固定するための固定バー３を左右方向Ｂの複数の山部２１に跨るように取り付けるものにおいて、軒棟方向Ａの少なくとも一方の端部の固定バー３を左右方向Ｂの全長に亘って取り付けた。【選択図】        図１
2005226364.tif 000002
【特許請求の範囲】
【請求項１】
屋根材の表面に取り付けられる太陽光発電パネルの固定板であって、左右方向に山部及び谷部が連続する波状のベース板を形成するとともに、ベース板の軒棟方向の両端部に太陽光発電パネルを固定するための固定バーを左右方向の複数の山部に跨るように取り付けるものにおいて、ベース板の軒棟方向の少なくとも一方の端部の固定バーを左右方向の略半分以上の長さに亘って取り付けて成ることを特徴とする太陽光発電パネルの固定板。
【請求項２】
左右方向の端部を谷部から山部へかけての立ち上がり部として成ることを特徴とする請求項１記載の太陽光発電パネルの固定板。
【発明の詳細な説明】
【技術分野】
【０００１】
本発明は、屋根材の表面に取り付けられる太陽光発電パネルの固定板に関するものである。
【背景技術】
【０００２】
従来より、屋根に太陽光発電パネルを設けるのに、既存の屋根に取り付け用部材を設けてこれに太陽光発電パネルを取り付けるものが知られている（例えば特許文献１参照）。このものにあっては、既存の瓦等からなる屋根上に取り付けるため、重量が増す等の問題があって、
そこで、太陽光発電パネルの固定板を用いるものが考えられた。これは、図５、図６に示すように、野地板等の屋根材１にベース板２を取り付けるとともに、このベース板２に太陽光発電パネル４を取り付けることで太陽光発電パネル４を屋根に配設するもので、ベース板２は瓦等と同様の屋根機能を有するため、瓦等を設けることなく野地板等の屋根材１に取り付けることができる。
【０００３】
ベース板２は、左右方向Ｂに山部２１及び谷部２２が連続する波状に形成し、軒棟方向Ａの両端部に太陽光発電パネル４を固定するための固定バー３が左右方向Ｂの複数の山部２１の平面状をした頂部に跨るように取り付けられている。固定バー３は、それぞれ左右方向Ｂに断続的に設けるもので、図に示す例では左右方向Ｂの三箇所に固定バー３が設けてある。そして、ベース板２の軒棟方向Ａの両端部に設けた固定バー３にそれぞれ太陽光発電パネル４の棟側Ａ１の端部及び軒側Ａ２の端部を固定するものであった。
【特許文献１】特開２００３−３１４０１０号公報
【発明の開示】
【発明が解決しようとする課題】
【０００４】
しかしながら、このようなベース板２は、左右方向Ｂに山部２１及び谷部２２が連続する波状に形成してあるため、軒棟方向Ａに撓むことはないが左右方向Ｂに撓み易いものである。そして、左右方向Ｂの複数の山部２１に跨るように固定バー３を設けてあるため、固定バー３が取り付けられている部分は左右方向Ｂに撓むのが抑えられるが、左右の固定バー３間の部分は左右方向Ｂに撓み易く、このため、ベース板２を持ち運ぶ際に撓んでしまって搬送がし難く、さらに、屋根材１に取り付ける際に撓んでベース板２の縁部で屋根材１や屋根材１上に設けた防水シート１１を破損したりする惧れがあるものであった。
【０００５】
本発明はこのような点に鑑みなされたものであって、その目的とするところは、撓んで搬送し難いといったことがないとともに、屋根材へ取り付ける際に撓んで屋根材や屋根材上に設けた防水シートを破損してしまうことがない太陽光発電パネルの固定板を提供することにある。
【課題を解決するための手段】
【０００６】
上記課題を解決するために請求項１に係る発明にあっては、屋根材１の表面に取り付けられる太陽光発電パネルの固定板であって、左右方向Ｂに山部２１及び谷部２２が連続する波状のベース板２を形成するとともに、ベース板２の軒棟方向Ａの両端部に太陽光発電パネル４を固定するための固定バー３を左右方向Ｂの複数の山部２１に跨るように取り付けるものにおいて、ベース板２の軒棟方向Ａの少なくとも一方の端部の固定バー３を左右方向Ｂの略半分以上の長さに亘って取り付けて成ることを特徴とするものである。このような構成とすることで、ベース板２が撓むことがなくなって、太陽光発電パネルの固定板を持ち運ぶ際に撓んでしまって搬送がし難いといったことがなく、さらに、屋根材１に取り付ける際に撓んで太陽光発電パネルの固定板の縁部で屋根材１や屋根材１上に設けた防水シート１１を破損してしまうことがないものである。
【０００７】
また、請求項２に係る発明にあっては、請求項１２又は１３の発明において、左右方向Ｂの端部を谷部２２から山部２１へかけての立ち上がり部として成ることを特徴とするものである。このような構成とすることで、端部の尖先が上方を向くようにすることができて、端部の尖先が側方を向く場合にこの尖先で屋根材１や屋根材１に設けた防水シート１１を損傷してしまうようなことがないものである。
【発明の効果】
【０００８】
本発明にあっては、太陽光発電パネルの固定板が撓むことがなくなって、固定板を持ち運ぶ際に撓んでしまって搬送がし難いといったことがなく、さらに、屋根材に取り付ける際に撓んで固定板の縁部で屋根材や屋根材上に設けた防水シートを破損してしまうことがないものである。
【発明を実施するための最良の形態】
【０００９】
以下、本発明を添付図面に示す実施形態に基づいて説明する。
【００１０】
本実施形態の太陽光発電パネルの固定板は、野地板等の屋根材１の上に軒棟方向Ａ及びこれと直交する左右方向Ｂに並べて載設されるものである。
【００１１】
太陽光発電パネルの固定板の主体を為すベース板２は、図１，図２に示すように、左右方向Ｂに山部２１と谷部２２とを交互に連続する波状に形成されるもので、通常は金属で形成され、特に本実施形態では山部２１の頂部と谷部２２の底部はそれぞれ平面状となる台形状となっており、後述する固定バー３や取付バー５は複数の山部２１の平面状の頂部に跨るように取り付けられる。またこのベース板２は、屋根材１としての野地板に取り付けられた際にこれ自身が屋根としての機能を有する。
【００１２】
軒棟方向Ａに隣り合うベース板２間はベース板２の端部の上下の重ね合わせにより止水され、左右に隣り合うベース板２間は、一方のベース板２の側端部の山部２１と他方のベース板２の側端部の山部２１とを嵌合させることで止水されている。また、ベース板２を波状に形成することで、左右方向Ｂへの位置決めが容易になると共に、軒側Ａ１への排水も容易になり、さらに加えて、ベース板２の板厚を厚くすることなく軒棟方向Ａの曲げ剛性を上げることができ、コストを削減しながら必要な強度が得られると共に、ベース板２の棟側端部は左右方向Ｂの略全長に亘って平板状に形成されており、これにより軒側端部の下面から雨水が逆流しても、平板状の棟側端部において水が阻止され、それ以上の逆流を防いで、ベース板２とこれよりも棟側に位置する屋根材１との隙間に雨水が浸入するのを防止できる構造となっている。なお、本実施形態では、ベース板２の左右方向Ｂの端縁は、谷部２２から山部２１にかけての立ち上がり部２３となっており、これにより端部の尖先が上方を向くようにすることができて、端部の尖先が側方を向く場合にこの尖先で屋根材１や屋根材１に設けた防水シート１１を損傷してしまうようなことがないとともに、左右方向Ｂに隣接するベース板２の側端部を重ねる際に、立ち上がり部２３の傾斜が隣接するベース板２の谷部２２から山部２１へかけての傾斜と丁度重なる状態となる。
【００１３】
ここで、太陽光発電パネルの固定板の屋根材１への取り付けについて説明する。ベース板２には、上記ベース板２を屋根材１に対して固定するための取付バー５が取り付けてある。この取付バー５は、ベース板２の左右方向Ｂに沿って複数の山部２１に跨るような長手形状の底板部と、底板部の上下両端（短手方向の両端）からそれぞれ上方に突設される一対の角筒形状の補強部とが一体に構成されている。本例の取付バー５は、ベース板２における軒棟方向Ａの中間位置よりも軒側Ａ１に寄せて取り付けることで、軒棟方向Ａに二枚のベース板２が並べて敷設される場合にあっては、軒側Ａ１のベース板２の棟側端部を棟側Ａ２のベース板２の軒側端部によって上から押さえて固定できるので、軒側Ａ１のベース板２の軒側Ａ１に寄った位置に取付バー５を取り付けるだけで、取付バー５の数をへらしながら屋根材１に対するベース板２全体の固定力を高めることができる。
【００１４】
上記ベース板２の軒側端部及び棟側端部には、図１等に示すように、金属製の固定バー３がそれぞれ取り付けられており、この固定バー３によって太陽光発電パネル４の周縁が支持されるようになっている。
【００１５】
固定バー３は、図３に示すように、長手方向に対する垂直断面が大略環状をしたもので、曲げに対して強い剛性を有するものである。棟側端部の固定バー３は、ベース板２の左右方向Ｂに間隔をあけて複数本（本例では三本）取り付けられており、軒側端部の固定バー３は、ベース板２の左右方向Ｂの半分以上の長さに亘って一つ取り付けられる。本実施形態では、ベース板２の左右方向Ｂの長さの略全長（全長〜全長の８割又は９割程の長さ）に亘って一体の固定バーを設けるのが好ましく、このようにすることで後述のように曲げ剛性を向上させることができる。
【００１６】
固定バー３には、図３に示すように、軒側Ａ１（下段）のベース板２の棟側端部に設けた固定バー３ｂと、棟側Ａ２（上段）のベース板２の軒側端部に設けた固定バー３ａとが互いに当接する当接部３１ａ，３１ｂが設けられており、軒側Ａ１のベース板２の棟側端部の上面に棟側Ａ２のベース板２の軒側端部の下面を重ねた状態で、軒側Ａ１のベース板２の固定バー３ａに設けた当接部３１ａと棟側Ａ２のベース板２の固定バー３ｂに設けた当接部３１ｂとが互いに当接することで、両ベース板２が位置決めされるようになっている。図３に示す例では、軒棟方向Ａに対向する二つの固定バー３ａ，３ｂにおいて、軒側Ａ１に位置する固定バー３ａには、上下の嵌合凸部３２ａと中央の当接部３１ａとが形成されており、一方、棟側Ａ２に位置する固定バー３ｂの対向面には、上下の嵌合凹部３２ｂと中央の当接部３１ｂとが形成されている。当接部３１ａ、３１ｂの互いの当接によって両ベース板２が位置決めされるようになっており、さらに嵌合凹部３２ｂと嵌合凸部３２ａとの嵌合によって、両ベース板２の浮き上がりを防止できるようになっている。さらに、上記固定バー３の当接部３１ａ，３１ｂ等が設けられている面とは反対側の面には、太陽光発電パネル４の前縁或いは後端が挿入される挿入凹所が設けられている。
【００１７】
しかして、屋根材１の上に太陽光発電パネル４を葺設するにあたっては、先ず、複数のベース板２を屋根材１上に並べて敷設する。このとき、最も軒側Ａ１のベース板２を屋根材１の軒側Ａ１の端部に合わせて載置し、このベース板２の棟側端部の上面にこれと隣り合う棟側Ａ２のベース板２の軒側端部を上から重ねるようにして設置する。このとき図３に示すように、軒側Ａ１のベース板２の棟側端部に取り付けた固定バー３の当接部３１ｂに当接させることにより、軒棟方向Ａに隣り合うベース板２同士を位置決めできると同時に、嵌合凹部３２ｂと嵌合凸部３２ａとの嵌合によって、両ベース板２の浮き上がりを防止できるようになる。またこのとき、長手形状の固定バー３がベース板２の左右方向Ｂに間隔をあけて三本取り付けられているため、図４に示すように、軒側Ａ１のベース板２に対して棟側Ａ２のベース板２を左右方向Ｂにずらせて配置する場合でも、少なくとも二つの固定バー３同士が対向し合うようになる。
【００１８】
その後、取付バー５の長手方向をベース板２の左右方向Ｂに向け且つ取付バー５をベース板２の複数の山部２１に跨いだ状態で、ベース板２の上面に設けた目印（特に図示せず）に合わせて取付バー５を載置する。このとき取付バー５の裏面（接着面）の離型紙を剥がして、ベース板２の目印に合わせて仮接着する。そして、取付バー５の上方から板金固定木ネジ１２を取付バー５及びベース板２を介して屋根材１にねじ込み固定する。
【００１９】
その後、図３に示すように、上記固定バー３に対して太陽光発電パネル４を取り付ける。ここにおいて、図３に示すように、軒側Ａ１のベース板２と棟側Ａ２のベース板２との突き合わせ部分にて対向する二つの固定バー３ａ，３ｂにおいて、太陽光発電パネル４の後端を挿入凹所に挿入した状態で、コ字状のクリップ金具６を横方向から挿入凹所に嵌め込んで、クリップ金具６の下片６１を引掛け部の下面に引掛け、クリップ金具６の上片６２を太陽光発電パネル４の後端の上面に引掛ける。一方、棟側Ａ２の固定バー３の挿入凹所内に他の太陽光発電パネル４の前端を挿入する。その後、上方からカバー７を被せると、カバー７の下面中央に設けた位置決めリブ７１が軒側Ａ１の固定バー３の上側の嵌合凸部３２ａの内側に挿入されてカバー７を位置決めでき、この状態で複数のネジ７２をカバー７から各固定バー３の上端にそれぞれ締め込むことで、対向する固定バー３同士を固定できる。
【００２０】
この結果、屋根材１へのベース板２の固定力が強く、簡単且つ強固に取り付けることができ、施工性及び意匠性に優れた状態で太陽光発電パネル４を施工することができる。なお、本実施形態では、太陽光発電パネル４を屋根に設ける例を示したが、太陽光発電パネル４の代わりに太陽熱集熱パネル、或いは、植物を植えた緑化パネルを太陽光発電パネル４と同様にベース板２の上に取り付けるものでもよい。
【００２１】
以上のように、左右方向Ｂに山部２１及び谷部２２が連続する波状に形成したベース板２に、軒棟方向Ａの少なくとも一方の端部の固定バー３を左右方向Ｂの略半分以上の長さに亘って取り付けたことで、太陽光発電パネルの固定板の左右方向Ｂの曲げ剛性が向上するため、太陽光発電パネルの固定板が撓むことがなくなって、太陽光発電パネルの固定板を持ち運ぶ際に撓んでしまって搬送がし難いといったことがなく、さらに、屋根材１に取り付ける際に撓んで太陽光発電パネルの固定板の縁部で屋根材１や屋根材１上に設けた防水シート１１を破損してしまうことがないものである。
【図面の簡単な説明】
【００２２】
【図１】本発明の一実施形態の太陽光発電パネルの固定板の平面図である。
【図２】同上の太陽光発電パネルの固定板の屋根材への取り付けを説明する正面断面図である。
【図３】隣接する固定板の固定バーの突き合わせ部分へのカバーの取り付けを説明する側断面図である。
【図４】屋根材へ固定板を取り付けて固定板に太陽光発電パネルを取り付けた状態を説明する斜視図である。
【図５】従来の太陽光発電パネルの固定板の平面図である。
【図６】従来の太陽光発電パネルの固定板の屋根材への取り付けを説明する正面断面図である。
【符号の説明】
【００２３】
１  屋根材
２  ベース板
２１  山部
２２  谷部
３  固定バー
４  太陽光発電パネル
Ａ  軒棟方向
Ｂ  左右方向
【図１】
2005226364.tif 000003
【図２】
2005226364.tif 000004
【図３】
2005226364.tif 000005
【図４】
2005226364.tif 000006
【図５】
2005226364.tif 000007
【図６】
2005226364.tif 000008